(57)【要約】      （修正有）【課題】タブレットパソコンを載せた時に傷を付けずに保護する支持スタンド装置を提供する。【解決手段】支持スタンド装置のタブレットパソコンは、筐体上にコントロール平面と、二つのスタンド１、２及び枢設軸部３を含み、スタンド二端は作動部１１、２１及び納置部１２、２２を備え、作動部とスタンドの延長方向は第一角度Θ１を形成し、納置部一端は納置槽１３、２３を備え、納置部１２、２２とスタンドの延長方向は第二角度Θ２を形成する。スタンドは対称に相互に寄り添い、隣接する筐体の１側に位置し、枢設軸部は二作動部１１、２１を連接し、且つスタンドの延長方向に位置する。スタンドが枢設軸３を軸心として回転移動運動すると、スタンドが相互寄り添っていた二つの納置部が分かれ、且つ二納置槽によってそれぞれが押さえられ、対応する側辺を納置し、タブレットパソコンの角度を有して位置する。【選択図】図２
0003181165.tif 000002
【実用新案登録請求の範囲】
【請求項１】
タブレットパソコンの支持スタンド装置において、
その二端がそれぞれ第一作動部及び第一納置部を備え、該第一作動部と該第一スタンドの延長方向は第一角度を形成し、該第一納置部一端は第一納置槽を備え、且つ該第一納置部と該第一スタンドの延長方向は第二角度を形成する第一スタンドと、
対称方式で該第一スタンドと相互に寄り添い、該第二スタンド二端はそれぞれ第二作動部及び第二納置部を備え、該第二作動部と該第二スタンドの延長方向は該第一角度を形成し、該第二納置部一端は第二納置槽を備え、且つ該第二納置部と該第二スタンドの延長方向は該第二角度を形成する第二スタンドと、
該第一作動部と該第二作動部を連接し、該枢設軸部の中心軸は該第一スタンドの延長方向上に位置して、該第一スタンド及び該第二スタンドは該中心軸を軸心として回転移動運動を行う枢設軸部を含むことを特徴とするタブレットパソコンの支持スタンド装置。
【請求項２】
前記枢設軸部は、更に
該第一作動部と相互に連接し、該第一軸孔体は第一通孔を備え、該第一通孔の中心位置は該第一スタンドの延長方向上に位置する少なくとも一第一軸孔体と、
該第二作動部と相互に連接し、該第二軸孔体は第二通孔を備え、該第二通孔の中心位置は該第二スタンドの延長方向上に位置する少なくとも一第二軸孔体と、
それぞれは該第一通孔及び該第二通孔を通過する回転軸体と、
該回転軸体上に位置し、且つ二端はそれぞれ該第一作動部と該第二作動部を押さえる弾性体を含むことを特徴とする請求項１記載のタブレットパソコンの支持スタンド装置。
【請求項３】
前記第一納置槽及び該第二納置槽のうち、少なくともどちらかに一つの滑り止めパッドを備え、該滑り止めパッドはゴム材で製造することを特徴とする請求項１記載のタブレットパソコンの支持スタンド装置。
【請求項４】
前記第一作動部の外周辺縁は更に第一滑り止めパッドを備え、該第一滑り止めパッドはゴム材で製造し、該第二作動部の外周辺縁は更に第二滑り止めパッドを備え、該第二滑り止めパッドはゴム材で製造することを特徴とする請求項１記載のタブレットパソコンの支持スタンド装置。
【請求項５】
前記第一スタンドの外周辺縁は、更に第一強化体を備え、該第一強化体はアルミニウム及びアルミ合金で製造し、該第二スタンドの外周辺縁は更に第二強化体を備え、該第二強化体はアルミニウム及びアルミ合金で製造することを特徴とする請求項１記載のタブレットパソコンの支持スタンド装置。
【考案の詳細な説明】
【技術分野】
【０００１】
本考案は、支持スタンド装置に関するもので、特にタブレットパソコンに運用する支持スタンド装置に係わる。
【背景技術】
【０００２】
人々の物質に対する要求と科学の進歩に拠って、携帯電話、パソコン・・等電子裝置は軽薄短小に向かって発展している。例えば、パソコンでは伝統的なデスクトップパソコンはプロセッサーに鍵盤とモニターが組み合わさって構成されている。その体積は大きく、空間を取り、携帯することができない。そのため、パソコンも人と共に外出出来るようにするため、多方面から研究開発され、鍵盤とプロセッサーが一体となり、モニターを開け閉めするノート型パソコンが世に出ており、最近ではタブレットパソコンが発売された。プロセッサー、モニタータッチ入力の機能が結合して一体となり、パソコンは更に軽く、薄く、携帯しやすくなった。
【０００３】
ユーザーがタブレットパソコン等電子リーダーを使用する時、たいていはタブレットパソコンをデスク面に置く。その時、タブレットパソコンは平らなデスク面に沿って置かれるため、ユーザーがタブレットパソコンを見たり操作したりする時、頭部を９０度下げなければならず、目がタブレットパソコンのスクリーンを直視し、人体工学に反した姿勢が継続されると、ユーザーの首や肩部が痛み、目が疲労する。
【０００４】
そのため、一部のユーザーは、腕を枕にしてタブレットパソコンを置き手でタブレットパソコン上を押さえて定位する。それにより、腕に拠って傾斜角度を調節することができ、そこにタブレットパソコンを置けばユーザーがタブレットパソコンのスクリーンを見るのは非常に便利である。しかしながら、長時間の間、腕及び手でタブレットパソコンを支える状態が継続すると、やはり腕や手に痛みや不具合が現れてくる。
【０００５】
そのため、メーカーではタブレットパソコン専用のスタンドを設計しており、それは底台、スタンド及び支持腕を含み、相互の枢設関係によって、タブレットパソコンをスタンドに所定角度で立てかける。
【先行技術文献】
【特許文献】
【０００６】
【特許文献１】特開２０１２−１９１６０４号公報
【考案の概要】
【考案が解決しようとする課題】
【０００７】
解決しようとする問題点として、公知のスタンドにタブレットパソコン底部を支えるスタンドがあるが、滑り止めの機能を備えていない。そのため、タブレットパソコンをスタンド上に設置すると、滑りやすく、ユーザーがスタンドの角度を調整している時にタブレットパソコンがスタンドから滑り落ちることがあり、パソコンを壊してしまうこともある点である。そのため、上述の問題を改善する必要がある。
【課題を解決するための手段】
【０００８】
本考案は、二つのスタンド及び一つの枢設軸部を含む。該スタンド二端はそれぞれ作動部及び納置部を備え、該作動部と該スタンドの延長方向は第一角度を形成し、該納置部一端は納置槽を備え、且つ該納置部と該スタンドの延長方向は第二角度を形成する。二つのスタンドは対称に相互に寄り添い、且つ隣接する該筐体の一つの側に位置する。また、該枢設軸部はそれぞれ二作動部を連接し、且つ該スタンドの延長方向に位置する。二つのスタンドが該枢設軸を軸心として回転移動運動すると、二つのスタンドが相互寄り添っていた二つの納置部が分かれ、且つ二つの納置槽によってそれぞれが押さえられ、該タブレットパソコンの相互に対応する二側辺を納置し、該タブレットパソコンの角度が平面上で位置する。また二つの納置槽が該タブレットパソコン二側辺の異なる位置で押さえた時，該タブレットパソコンは該平面上の異なる角度で位置することを最も主要な特徴とする。
【考案の効果】
【０００９】
本考案のタブレットパソコンの支持スタンド装置は、二つのスタンドで相互にタブレットパソコンを挟持し、納置槽に滑り止めパッドを設置し、タブレットパソコンを載せた時に傷がつかずに保護する効果を達成するという利点がある。
【図面の簡単な説明】
【００１０】
【図１】本考案タブレットパソコンの支持スタンド装置の実施例立体構造指示図である。
【図２】本考案タブレットパソコンの支持スタンド装置の実施例正面構造指示図である。
【図３】本考案タブレットパソコンの支持スタンド装置の実施例仰視構造指示図である。
【図４】本考案の第一スタンドの実施例立体構造指示図である。
【図５】本考案の第一スタンドの実施例正視構造指示図である。
【図６】本考案の第一スタンドの実施例側視構造指示図である。
【図７】本考案の第一強化体の実施例立体構造指示図である。
【図８】本考案の回転軸体及び弾性体を合わせた実施例立体構造指示図である。
【図９】本考案のタブレットパソコンの支持スタンド装置とタブレットパソコンを平面第一位置に設置した側視構造指示図である。
【図１０】本考案のタブレットパソコンの支持スタンド装置とタブレットパソコンを平面第二位置に設置した側視構造指示図である。
【考案を実施するための形態】
【００１１】
二つのスタンドで相互にタブレットパソコンを挟持して固定することによって、タブレットパソコンを平面上に置く効果を達成するタブレットパソコンの支持スタンド装置を提供することを本考案の目的とする。
【００１２】
二つのスタンドを用いてタブレットパソコンの異なる位置で挟持することで、タブレットパソコンが平面上で異なる角度を形成し、タブレットパソコンを設置する効果を達成するタブレットパソコンの支持スタンド装置を提供することを本考案の目的とする。
【００１３】
タブレットパソコンを挟持する納置槽に滑り止めパッドを設置し、タブレットパソコンを載せた時に傷がつかず、タブレットパソコンを保護する効果を達成するタブレットパソコンの支持スタンド装置を提供することを本考案の目的とする。
【００１４】
平面の作動部外周辺縁に滑り止めパッドを設置することで、タブレットパソコンを安定且つ安全に平面上に置く効果を達成するタブレットパソコンの支持スタンド装置を提供することを本考案の目的とする。
【００１５】
上述の目的を達成するため、本考案はタブレットパソコンの支持スタンド装置を提供し、それは第一スタンド、第二スタンド及び枢設軸部を含む。該第一スタンドの二端は、それぞれ第一作動部及び第一納置部を備え、該第一作動部と該第一スタンドの延長方向は第一角度を形成する。該第一納置部の一端は第一納置槽を備え、且つ該第一納置部と該第一スタンドの延長方向は第二角度を形成する。該第二スタンドは対称方式で該第一スタンドと相互に寄り添い、該第二スタンドの二端はそれぞれ第二作動部及び第二納置部を備え、該第二作動部と該第二スタンドの延長方向は該第一角度を形成する。該第二納置部一端は第二納置槽を備え、且つ該第二納置部と該第二スタンドの延長方向は該第二角度を形成する。該枢設軸部は該第一作動部と該第二作動部を連接し、該枢設軸部の中心軸は該第一スタンドの延長方向上に位置し、該第一スタンド及び該第二スタンドは該中心軸を軸心として回転移動運動する。
【００１６】
該第一スタンドと該第二スタンドが該枢設軸を軸心として該回転移動運動する時、該第一納置部及び該第二納置部が分かれ、更に該第一納置部及び該第二納置部がそれぞれ合わさり、該タブレットパソコン相対応の二側辺を納置し、該タブレットパソコンを所定角度で平面上に置く。該第一納置部及び該第二納置部が該タブレットパソコン二側辺上の異なる位置を押さえる時、該タブレットパソコンは該平面上の異なる角度で位置する。
【００１７】
上述の目的を達成するため、本考案はタブレットパソコンの支持スタンド装置を提供し、その実施例として、該第一納置槽及び該第二納置槽のうちのどちらかに、少なくとも一つの滑り止めパッドを備え、該滑り止めパッドはゴム材で製造する。該第一作動部の外周辺縁は更に第一滑り止めパッドを備え、該第一滑り止めパッドはゴム材で製造する。該第二作動部の外周辺縁は更に第二滑り止めパッドを備え、該第二滑り止めパッドはゴム材で製造する。
【実施例】
【００１８】
図１から図３に示すのは、本考案タブレットパソコンの支持スタンド装置の実施例立体、正視及び仰視構造指示図である。本考案タブレットパソコンの支持スタンド装置は、第一スタンド１、第二スタンド２及び一枢設軸部３を含む。該第一スタンド１の両端は、それぞれ第一作動部１１及び第一納置部１２を備え、該第一作動部１１と該第一スタンド１の延長方向は第一角度Θ１を形成する。該第一納置部１２の一端は第一納置槽１３を備え、該第一納置槽１３は、本実施例では強度を考慮した設計でＵ字型構造であり、且つ該第一納置部１２と該第一スタンド１の延長方向は第二角度Θ２を形成する。
【００１９】
該第二スタンド２は、対称方式で該第一スタンド１と相互に合わさり、該第二スタンド２両端は、それぞれ第二作動部２１及び第二納置部２２を備え、該第二作動部２１と該第二スタンド２の延長方向は該第一角度Θ１を形成する。該第二納置部２２一端は第二納置槽２３を備え、該第二納置槽２３は本実施例において強度を考慮した設計でＵ字型構造であり、且つ該第二納置部２２と該第二スタンド２の延長方向は該第二角度Θ２を形成する。
【００２０】
該枢設軸部３は該第一作動部１１と該第二作動部２１を連接し、該枢設軸部３の中心軸９１は該第一スタンド１の延長方向上に位置し、該第一スタンド１及び該第二スタンド２は該中心軸９１を軸心として回転移動運動９２を行う。
【００２１】
該第二スタンド２は対称方式で該第一スタンド１と同じ設計であるため、該第一スタンド１の詳細構造で説明しており、該第二スタンド２では再度説明しない。図２から図６に示すのは、本考案の第一スタンドの実施例の立体、正視及び側視構造指示図である。本考案の実施例において、該第一納置槽１３及び該第二納置槽２３は、少なくともそのうちの一つに滑り止めパッド１４を備える。該滑り止めパッド１４はゴム材で製造され、タブレットパソコン（図未提示）を載せた時、傷つかず、タブレットパソコンを保護する効果を備える。該第一作動部１１の外周辺縁は、更に第一滑り止めパッド１６を備え、該第一滑り止めパッド１６はゴム材で製造され、タブレットパソコン（図未提示）を平面（図未提示）上に載せた時、該第一滑り止めパッド１６の磨擦力によって滑らないようにする。当然、該第二作動部２１の外周辺縁にも第二滑り止めパッド（図未提示）を設置し、該第二滑り止めパッドはゴム材で製造する。
【００２２】
図７に示すのは、本考案の第一強化体の実施例の立体構造指示図である。該第一スタンド１及び該第二スタンド２は、プラスチック射出成型であるため、強度的に正しい扱いをしないと壊れてしまいやすい。そのため、本実施例において、該第一スタンド１の外周辺縁には更に第一強化体４を備える。該第一強化体４はアルミニウム及びアルミ合金で作られる。当然、該第二スタンド２の外周辺縁は更に第二強化体（図未提示）を備えてもよく，該第二強化体はアルミニウム及アルミ合金で製造する。
【００２３】
本実施例に於いて、該枢設軸部３は更に少なくとも一つの第一軸孔体３１、少なくとも一つの第二軸孔体（図未提示）、回転軸体３３及び弾性体３５を含む。図４から図６に示すとおり、該第一軸孔体３１は該第一作動部１１と相互に連接し、該第一軸孔体３１は第一通孔３１１を備え、該第一通孔３１１の中心は該第一スタンド１の延長方向上に位置する。また該第二軸孔体（図未提示）は該第二作動部２１と相互に連接し、該第二軸孔体（図未提示）は第二通孔（図未提示）を備え、該第二通孔の中心は該第二スタンド２の延長方向上に位置する。
【００２４】
図８に示すのは、本考案の回転軸体及び弾性体を合わせた実施例立体構造指示図である。該回転軸体３３はそれぞれ該第一通孔３１１及び該第二通孔を通過する。該回転軸体３３は該弾性体３５をその中に入れた後、リベット方式で該回転軸体３３を該第一通孔３１１及び該第二通孔上に固定する。当然本実施例に示すとおり、該回転軸体３３上に回転蓋３４を設置してもよいし、ねじ止め方式で該回転軸体３３を該第一通孔３１１及び該第二通孔上に固定しても良い。図６に示すとおり、該第一作動部１１は更に第一開槽１５を備え、該第一開槽１５上には案内槽孔１５１を備え、該弾性体３５は該回転軸体３３上に位置し、該案内槽孔１５１に該弾性体３５の二端３５１を納置し、且つ該弾性体３５の二端３５１が該案内槽孔１５１を押さえる。また該弾性体３５の二端３５１、３５２でそれぞれ該第一作動部１１と該第二作動部２１を押さえる。
【００２５】
図９及び図１０に示すのは、本考案のタブレットパソコンの支持スタンド装置とタブレットパソコンを平面第一位置及び第二位置に置いた側視構造指示図である。該タブレットパソコン５は筐体５１上にコントロール平面５２を設置し、該第一スタンド１と該第二スタンド２は相互に該タブレットパソコン５（図では該第二スタンド２だけが見える）を固定して挟持し、該筐体５１の一つの側に隣り合い、且つ平面６の第一位置上に設置する。その時、該タブレットパソコン５と該平面６は第三角度Θ３を形成する。該第一スタンド１と該第二スタンド２でタブレットパソコン５二側第二位置上を挟持する。この時該タブレットパソコン５と該平面６は第四角度Θ４を形成する。該第一スタンド１と該第二スタンド２でタブレットパソコン５二側の異なる位置を挟持することで、平面上に異なる角度でタブレットパソコンを載せる効果を達成する。
【００２６】
以上は、本考案の良好な実施例に過ぎず、本考案の範囲を制限するものではない。拠って、本考案の変化と修飾はすべて本考案の請求範囲に含まれるものとする。
【符号の説明】
【００２７】
１        第一スタンド
１１        第一作動部
１２        第一納置部
１３        第一納置槽
１４        滑り止めパッド
１５        第一開槽
１５１        案内槽孔
１６        第一滑り止めパッド
２        第二スタンド
２１        第二作動部
２２        第二納置部
２３        第二納置槽
３        枢設軸部
３１        第一軸孔体
３１１        第一通孔
３３        回転軸体
３４        回転蓋
３５        弾性体
３５１        弾性体二端
３５２        弾性体二端
４        第一強化体
５        タブレットパソコン
５１        筐体
５２        コントロール平面
６        平面
９１        中心軸
９２        回転移動運動
Θ１        第一角度
Θ２        第二角度
Θ３        第三角度
Θ４        第四角度
【図１】
0003181165.tif 000003
【図２】
0003181165.tif 000004
【図３】
0003181165.tif 000005
【図４】
0003181165.tif 000006
【図５】
0003181165.tif 000007
【図６】
0003181165.tif 000008
【図７】
0003181165.tif 000009
【図８】
0003181165.tif 000010
【図９】
0003181165.tif 000011
【図１０】
0003181165.tif 000012
【手続補正書】
【提出日】平成24年11月9日(2012.11.9)
【手続補正１】
【補正対象書類名】実用新案登録請求の範囲
【補正対象項目名】全文
【補正方法】変更
【補正の内容】
【実用新案登録請求の範囲】
【請求項１】
タブレットパソコンの支持スタンド装置において、
その二端がそれぞれ第一作動部及び第一納置部を備え、該第一作動部と該第一スタンドの延長方向は第一角度を形成し、該第一納置部一端は第一納置槽を備え、且つ該第一納置部と該第一スタンドの延長方向は第二角度を形成する第一スタンドと、
対称方式で該第一スタンドと相互に寄り添い、該第二スタンド二端はそれぞれ第二作動部及び第二納置部を備え、該第二作動部と該第二スタンドの延長方向は該第一角度を形成し、該第二納置部一端は第二納置槽を備え、且つ該第二納置部と該第二スタンドの延長方向は該第二角度を形成する第二スタンドと、
該第一作動部と該第二作動部を連接し、該枢設軸部の中心軸は該第一スタンドの延長方向上に位置して、該第一スタンド及び該第二スタンドは該中心軸を軸心として回転移動運動を行う枢設軸部を含むことを特徴とするタブレットパソコンの支持スタンド装置。
【請求項２】
前記枢設軸部は少なくとも第一軸孔体と第二軸孔体とを含み、更に前記第一作動部と相互に連接し、該第一軸孔体は第一通孔を備え、該第一通孔の中心位置は該第一スタンドの延長方向上に位置する少なくとも第一軸孔体と、
前記第二作動部と相互に連接し、該第二軸孔体は第二通孔を備え、該第二通孔の中心位置は該第二スタンドの延長方向上に位置する少なくとも第二軸孔体と、
それぞれは該第一通孔及び該第二通孔を通過する回転軸体と、
該回転軸体上に位置し、且つ二端はそれぞれ該第一作動部と該第二作動部を押さえる弾性体を含むことを特徴とする請求項１記載のタブレットパソコンの支持スタンド装置。
【請求項３】
前記第一納置槽及び前記第二納置槽のうち、少なくともどちらかに一つの滑り止めパッドを備え、該滑り止めパッドはゴム材で製造することを特徴とする請求項１記載のタブレットパソコンの支持スタンド装置。
【請求項４】
前記第一作動部の外周辺縁は更に第一滑り止めパッドを備え、該第一滑り止めパッドはゴム材で製造し、該第二作動部の外周辺縁は更に第二滑り止めパッドを備え、該第二滑り止めパッドはゴム材で製造することを特徴とする請求項１記載のタブレットパソコンの支持スタンド装置。
【請求項５】
前記第一スタンドの外周辺縁は、更に第一強化体を備え、該第一強化体はアルミニウム及びアルミ合金で製造し、該第二スタンドの外周辺縁は更に第二強化体を備え、該第二強化体はアルミニウム及びアルミ合金で製造することを特徴とする請求項１記載のタブレットパソコンの支持スタンド装置。